(57)【要約】【課題】用紙交換を行う際のユーザの工数を低減する印刷装置を提供する。【解決手段】印刷ジョブを記憶する記憶部に記憶された印刷ジョブのうち最近に記憶された印刷ジョブで指定されている用紙種類を取得する。印刷装置に供給されている用紙種類の交換の指示を受け付けると、複数種類の印刷用紙のうち、供給可能な印刷用紙の用紙種類を表示する。その表示においては、取得された用紙種類を優先的に表示する。【選択図】図１０
2015147299.tif 000002
【特許請求の範囲】
【請求項１】
印刷用紙の複数種類の属性のそれぞれに応じた印刷を実行可能な印刷装置を制御する印刷制御装置であって、
印刷ジョブキューに記憶され且つ印刷が実行されていない保留ジョブで指定されている用紙の属性を取得する取得手段と、
前記印刷装置に供給されている用紙の交換が実行される場合に、前記取得手段により取得された用紙の属性を、用紙交換後の用紙の属性の候補として特定する特定手段と、
前記特定手段により特定された用紙の属性に基づいて、前記印刷装置に画像を前記交換後の印刷用紙へ印刷させる印刷制御手段と、
を備えることを特徴とする印刷制御装置。
【請求項２】
前記特定手段により特定された用紙の属性を、表示装置に表示させる表示制御手段をさらに備え、
前記印刷制御手段は、前記表示制御手段により表示された用紙の属性がユーザにより指定された場合に、当該属性に基づく印刷を実行させることを特徴とする請求項１に記載の印刷制御装置。
【請求項３】
前記表示制御手段は、前記用紙交換後の用紙の属性の候補としての複数種類の属性のうち、前記取得手段により取得された用紙の属性を優先的に表示することを特徴とする請求項２に記載の印刷制御装置。
【請求項４】
前記用紙交換を行うためのユーザの交換指示を受け付ける受付手段をさらに備え、
前記特定手段は、前記受付手段により前記交換指示が受け付けられた場合に、前記用紙の属性を特定することを特徴とする請求項１乃至３のいずれか１項に記載の印刷制御装置。
【請求項５】
印刷ジョブを取得するジョブ取得手段と、
前記ジョブ取得手段により取得された印刷ジョブに対応する印刷が実行されたか判定する判定手段と、をさらに備え、
前記取得手段は、前記ジョブ取得手段により取得され且つ前記判定手段により印刷が実行されたと判定されていない印刷ジョブを前記保留ジョブとして、当該保留ジョブに対応する用紙の属性を取得することを特徴とする請求項１乃至４のいずれか１項に記載の印刷制御装置。
【請求項６】
前記印刷制御手段は、前記ジョブ取得手段により取得された印刷ジョブに指定された用紙の属性と、前記特定手段により特定されている用紙の属性が一致することを条件に、当該印刷ジョブに基づく印刷を実行させ、
前記判定手段は、前記印刷制御手段により印刷が実行されたかに応じて、当該印刷ジョブが実行されたか判定することを特徴とする請求項５に記載の印刷制御装置。
【請求項７】
前記保留ジョブが複数ある場合、前記特定手段は、当該複数の保留ジョブのうち所定の条件に対応する保留ジョブを特定することを特徴とする請求項１乃至６のいずれか１項に記載の印刷制御装置。
【請求項８】
前記特定手段は、前記複数の保留ジョブのうち最も遅く前記印刷ジョブキューに記憶された保留ジョブを、前記所定の条件に対応する保留ジョブとして特定することを特徴とする請求項７に記載の印刷制御装置。
【請求項９】
前記印刷ジョブキューは、前記印刷装置における所定の記憶領域であることを特徴とする請求項１乃至８のいずれか１項に記載の印刷制御装置。
【請求項１０】
前記印刷装置を備えることを特徴とする請求項１乃至９のいずれか１項に記載の印刷制御装置。
【請求項１１】
前記用紙の属性は、用紙種類または用紙サイズであることを特徴とする請求項１乃至１０のいずれか１項に記載の印刷制御装置。
【請求項１２】
印刷用紙の複数種類の属性のそれぞれに応じた印刷を実行可能な印刷装置を制御する印刷制御方法であって、
印刷ジョブキューに記憶され且つ印刷が実行されていない保留ジョブで指定されている用紙の属性を取得する取得工程と、
前記印刷装置に供給されている用紙の交換が実行される場合に、前記取得工程において取得された用紙の属性を、用紙交換後の用紙の属性の候補として特定する特定工程と、
前記特定工程において特定された用紙の属性に基づいて、前記印刷装置に画像を前記交換後の印刷用紙へ印刷させる印刷制御工程と、
を有することを特徴とする印刷制御方法。
【請求項１３】
請求項１乃至８のいずれか１項に記載の印刷制御装置の各手段としてコンピュータを機能させるための、または請求項１２に記載の印刷制御方法をコンピュータに実行させるためのプログラム。
【発明の詳細な説明】
【技術分野】
【０００１】
本発明は、印刷装置を制御する印刷制御装置、印刷制御方法およびプログラムに関する。
【背景技術】
【０００２】
プリンタを使って、正しい印刷結果を得るためには、ユーザが印刷しようとするジョブに設定されている用紙種類と、プリンタに現在給紙している用紙種類とを一致させる必要がある。ここで、一致しない（ミスマッチ）場合の例として、例えば、印刷設定において設定されている用紙種類が光沢紙であるにも拘らず普通紙に対して印刷を行う場合、過度にインクを吐出するなど期待する印刷結果が得られないことがある。特に、大判プリンタの場合には、使用する用紙が高価であり、また、印刷面積が多いことがあるため、ミスマッチにも拘らずインクをより大量に消費してしまうことがある。そのような用紙種類のミスマッチを防ぐために、印刷するジョブの用紙種類と、予めプリンタに設定されている用紙種類とが一致しない場合には、印刷するジョブを一時停止する機能や、一旦ジョブを保留して後に印刷する機能が知られている。一時停止されたジョブや一旦保留されたジョブを再び実行する際に、ユーザは、新たな用紙種類を供給するために、用紙カセットの交換を行う。
【０００３】
特許文献１には、複数の用紙特性のそれぞれに応じた印刷可能なプリンタにおいて、プリンタにセットされていない用紙種類に対応する印刷を行う場合に、プリンタにセットされ且つ印刷に使用される順序が最も遅い用紙種類を認識して、該用紙を交換対象として特定することが記載されている。
【先行技術文献】
【特許文献】
【０００４】
【特許文献１】特開２００６−２８９７３５号公報
【発明の概要】
【発明が解決しようとする課題】
【０００５】
上記従来技術は、交換が行われた後の用紙種類が既に一意に決定されている状態において、既に印刷装置にセットされている用紙から交換が行われる用紙を特定するものである。よって、交換後の用紙種類を決定するためには、例えば、複数の用紙種類からユーザが交換後の用紙種類を選択しなくてはならない。
【０００６】
特に、大判プリンタの場合は、印刷できる用紙の種類が多数（数十種類等）あるので、所望の用紙種類を選択するために、ユーザは、実際に給紙する用紙をパネル上の一覧から検索して選択する必要があり、負担となる。また大判プリンタに限らず、はがきサイズやＬ版サイズ等、比較的小さな紙に印刷可能なプリンタにおいても同様の課題が起こる場合がある。
【０００７】
本発明の目的は、このような従来の問題点を解決することにある。上記の点に鑑み、本発明は、用紙交換後の用紙種類を適切に特定することができる印刷制御装置、印刷制御方法およびプログラムを提供することを目的とする。
【課題を解決するための手段】
【０００８】
上記課題を解決するため、本発明に係る印刷制御装置は、印刷用紙の複数種類の属性のそれぞれに応じた印刷を実行可能な印刷装置を制御する印刷制御装置であって、印刷ジョブキューに記憶され且つ印刷が実行されていない保留ジョブで指定されている用紙の属性を取得する取得手段と、前記印刷装置に供給されている用紙の交換が実行される場合に、前記取得手段により取得された用紙の属性を、用紙交換後の用紙の属性の候補として特定する特定手段と、前記特定手段により特定された用紙の属性に基づいて、前記印刷装置に画像を前記交換後の印刷用紙へ印刷させる印刷制御手段と、を備えることを特徴とする。
【発明の効果】
【０００９】
本発明によると、用紙交換後の用紙種類を適切に特定することができる。
【図面の簡単な説明】
【００１０】
【図１】印刷システムの構成を示す図である。
【図２】表示部と入力部の一例を示す図である。
【図３】通常の用紙交換の場合の用紙種類の選択画面を示す図である。
【図４】保留された印刷ジョブが存在する場合に表示される通知画面を示す図である。
【図５】印刷ジョブキューに格納された印刷ジョブの一覧を示す図である。
【図６】用紙交換を行う際に表示される選択画面を示す図である。
【図７】用紙交換を行う際に表示される選択画面の他の例を示す図である。
【図８】用紙種類を選択した後に表示される通知画面を示す図である。
【図９】キュー格納処理の手順を示すフローチャートである。
【図１０】表示制御処理の手順を示すフローチャートである。
【図１１】印刷ジョブの選択画面を示す図である。
【発明を実施するための形態】
【００１１】
以下、添付図面を参照して本発明の好適な実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。なお、同一の構成要素には同一の参照番号を付して、説明を省略する。
【００１２】
図１は、本発明に係る実施形態における印刷システムの構成を示す図である。印刷システム１００は、ＰＣ１１０及び１２０、印刷装置１４０を含んでいる。ＰＣ１１０、ＰＣ１２０、印刷装置１４０は、ネットワーク１３０を介して相互に通信可能に接続されている。ネットワーク１３０は、例えば、有線や無線で構成されるＬＡＮである。若しくは、印刷装置１４０は、ＰＣ１１０やＰＣ１２０と専用ケーブルで接続されていても良い。
【００１３】
印刷装置１４０は、例えばＡ２サイズのロール紙に対して印刷を実行可能な大判プリンタである。また、印刷装置１４０は、普通紙や光沢紙といった複数種類の印刷用紙（記録媒体）を給紙部に供給可能なように構成されている。なお、本実施形態における印刷装置として、Ａ４サイズやＬ版サイズ等のカット紙に印刷を行うプリンタでもよい。ＰＣ１１０及び１２０は、例えば、プリンタドライバを実装した汎用的なＰＣであり、ネットワーク１３０を介して印刷装置１４０に印刷ジョブや、印刷対象の画像データを送信可能な印刷制御装置として動作する。
【００１４】
印刷装置１４０は、内部構成として大きく、表示部１４１、入力部１４２、印刷ジョブキュー１４３、給紙部１４４、印刷部１４５を含む。表示部１４１は、例えばディスプレイやパネルであり、印刷装置１４０の印刷処理状況や電源投入状態を表示し、また、各種印刷設定を受付可能な設定画面を表示する。本実施形態においては、給紙部１４４の用紙交換の際の用紙選択画面を表示する。入力部１４２は、表示部１４１の設定画面上でユーザが設定操作を行うための、上下スクロールや選択ボタン等の各実行指示が可能なハードウェアキー等を備える。
【００１５】
ＣＰＵ１４６は、印刷装置１４０を制御するための制御部である。ＣＰＵ１４６は、不図示のＲＯＭに格納されている制御プログラムを不図示のＲＡＭ上で実行することにより、印刷装置１４０の各部を制御することができる。
【００１６】
印刷ジョブキュー１４３は、例えば上記ＲＡＭまたは上記ＲＯＭにおける記憶領域であり、ＰＣ１１０やＰＣ１２０から受信して取得した印刷ジョブを印刷実行の待機用に記憶する記憶部である。なお、印刷ジョブには、当該印刷において印刷されるデータとともに、当該印刷における印刷設定として用紙種類を示す情報が含まれる。また、ＣＰＵ１４６は、印刷ジョブキュー１４３に記憶された印刷ジョブの一覧を表示部１４１に表示させる。給紙部１４４は、ロール紙等の印刷用紙を格納し、また印刷部１４５に印刷用紙を供給する。給紙部１４４は、印刷用紙を搬送するための搬送路や各種ローラ、ロール紙を所定の領域単位で切断するカッターを含む。印刷部１４５は、印刷ジョブキュー１４３に記憶されている印刷ジョブを、印刷ジョブの取得順や優先順位に従って順に実行し、給紙部１４４から給紙された印刷用紙に対して印刷する。印刷部１４５は、インクジェット記録方式による場合には記録ヘッドやキャリッジ等を含む。
【００１７】
給紙部１４４による印刷用紙の供給や、印刷部１４５による印刷は、ＣＰＵ１４６の制御により実行される。例えばＣＰＵ１４６は、印刷ジョブキュー１４３に記憶された印刷ジョブを実行する際に、上記の給紙部１４４の給紙動作や、記録ヘッドを搭載したキャリッジの移動や、印刷された印刷用紙の排紙動作等を制御する。印刷装置１４０がインクジェット記録装置である場合には、シアン（Ｃ）、マゼンタ（Ｍ）、イエロー（Ｙ）、ブラック（Ｋ）等の各インク滴が印刷用紙に吐出されることで印刷が実行される。その際のインク滴の吐出タイミング等も、ＣＰＵ１４６により制御される。
【００１８】
図２は、表示部１４１と、入力部１４２の一例を示す図である。パネル２０１は、表示部１４１に相当し、例えば液晶パネルが用いられる。図２に示すように、パネル２０１はＣＰＵ１４６の制御により、各印刷ジョブの印刷処理状況や、各種印刷設定を行うための設定画面等を表示する。キー２０２は、例えばユーザが設定画面上で設定項目を確定する際に押下される。キー２０３は、ユーザが設定画面上で行った設定操作をキャンセルする際に押下される。キー２０４は、ユーザが給紙部１４４で現在給紙されている用紙を交換する際に押下される。用紙の交換は、例えば、ユーザが、印刷ジョブキュー１４３に一旦保留された印刷ジョブ（保留ジョブともいう）を実行させる際に、現在給紙されている用紙を印刷ジョブに設定されている用紙種類に対応する用紙に交換したい場合に行われる。保留ジョブとは、例えば、その印刷ジョブを従前に印刷実行しようとした時、印刷装置１４０に設置された用紙の用紙種類と、印刷ジョブに設定された用紙種類とが異なっていたために（いわゆるミスマッチ）印刷ジョブキュー１４３に一旦実行を保留された印刷ジョブである。キー２０５は、上下スクロールキーであり、ユーザは、パネル２０１に表示された複数の選択項目を上下方向にスクロールさせて表示させることができる。
【００１９】
上記各種のキーに対するユーザの操作によりＣＰＵ１４６はユーザ指示を入力することができる。そして、そのユーザ指示に応じて印刷装置１４０の各部を制御する。なお、入力部１４２はキーに限らず、例えばタッチパネルでもよい。
【００２０】
図３は、パネル２０１に表示される選択画面を示す図である。図３の選択画面３０１は、キー２０４が押下された場合に表示され、ユーザは、交換対象の用紙種類を選択することができる。ハイライト３０２は、ユーザによる選択された項目を強調するための表示である。スクロールバー３０３は、キー２０５の操作により上下方向に移動し、その移動により選択画面３０１をスクロール表示させることができる。
【００２１】
印刷ジョブの実行により正しい印刷結果を得るためには、印刷ジョブに設定された用紙種類と、印刷装置１４０に給紙される用紙種類とを一致させる必要がある。そのために、ユーザは、選択画面３０１上で所望の用紙種類を検索して選択する。しかしながら、特に印刷装置１４０が大判プリンタの場合には、印刷装置１４０がサポート可能な用紙種類は通常、数十種類にも及ぶ。そのため、本実施形態においては、ユーザが用紙交換をする際には、最新の保留ジョブの用紙種類を容易に選択できるように、その用紙種類を優先的に表示する。
【００２２】
図４は、キー２０４が押下された際に、印刷ジョブキュー１４３に、用紙種類のミスマッチにより保留された印刷ジョブが存在する場合にパネル２０１に表示される画面の一例である。通知画面４０１は、印刷ジョブキュー１４３に保留ジョブが存在することをユーザに通知し、最新の保留ジョブと適合する用紙種類を選択するか否かをユーザに選択させるためのメッセージを通知する。ユーザは、その通知に応じて、最新の保留ジョブに適合する用紙種類を選択する場合にはキー２０２を押下する。
【００２３】
図６及び図７は、ユーザが図４の通知に応じてキー２０２を押下した場合に表示される選択画面の一例を示す図である。また、図５は、印刷ジョブキュー１４３に記憶された印刷ジョブの一覧の例を示す図である。
【００２４】
図５に示すように、印刷ジョブは、投入順、ジョブ名、用紙種類、オーナー、ステータス、投入時刻の項目により管理される。投入順は、各印刷ジョブが印刷装置１４０に投入されて印刷ジョブキュー１４３に記憶された順序を示す。ジョブ名は、各印刷ジョブのジョブ名を示す。用紙種類は、各印刷ジョブに設定された（プリンタドライバから指定された）用紙種類を示す。オーナーは、各印刷ジョブを印刷装置１４０に投入したユーザ名を示す。図５では、ユーザ名として例えばＰＣ名が表示されている。ステータスは、各印刷ジョブの状態であり、図５では、全て「保留」状態として示されている。ステータスには、「保留」の他に、「処理待ち」や「印刷中」、「印刷終了」等がある。投入時刻は、各印刷ジョブが印刷装置１４０に投入された時刻を示す。図５に示すように、投入時刻の順に、各印刷ジョブが管理されている。
【００２５】
図６は、図５に示す印刷ジョブキュー１４３の状態で図４の通知画面に応じてキー２０２が押下された場合に、パネル２０１に表示される選択画面の例を示す図である。図６のハイライト６０１に示すように、投入時刻が最新の保留ジョブ、即ち、図５の「Ｊｏｂ４」に設定されている「コート紙（厚口）」がリストの最も上に配置され更に強調された状態で表示される。用紙種類の交換を行う場合とは、ユーザが投入した印刷ジョブが、用紙種類のミスマッチにより一旦保留され、直ちに、その印刷ジョブを実行する場合が多いと考えられる。その際に、図６に示すように選択画面が表示されるので、ユーザは、数十種類にも及ぶ用紙種類から検索する負荷を低減することができる。また図６の表示画面では、スクロールにより、印刷装置１４０が対応している全ての用紙種類を表示させることができる。そして、そのリストの並び順として、保留ジョブに対応する用紙の種類（図６では、Ｊｏｂ１〜４に対応する４つの種類）が、リストの上位に表示される。よって、仮にユーザが「Ｊｏｂ４」に設定されている「コート紙（厚口）」を選択しない場合でも、その他の保留ジョブに対応する種類を容易に選択することができる。
【００２６】
図７は、図５に示す印刷ジョブキュー１４３の状態で図４の通知画面に応じてキー２０２が押下された場合に、パネル２０１に表示される他の通知画面の例を示す図である。本実施形態では、図６の画面が表示される代わりに、図７に示す通知画面が表示されても良い。図７に示すように、投入時刻が最新の保留ジョブ、即ち、図５の「Ｊｏｂ４」の各情報が表示される。また、そのジョブに設定されている用紙種類、即ち、「コート紙（厚口）」を選択するか否かをユーザに選択させるメッセージが表示される。ここで、ユーザがキー２０２を押下することにより、印刷装置１４０に給紙される用紙種類を容易に決定することができる。
【００２７】
図８は、ユーザが図３、図６、又は図７の選択画面上で用紙種類を選択し、キー２０２を押下した際に、パネル２０１に表示される通知画面の一例を示す図である。通知画面８０１に示されるように、印刷装置１４０に現在設置されているロール紙を取り外して、選択した用紙種類の印刷用紙を設置するようユーザに対して通知する。
【００２８】
図９は、印刷装置１４０がＰＣ１１０若しくはＰＣ１２０から印刷ジョブを受信して取得した場合に行われるキュー格納処理の手順を示すフローチャートである。図９に示す各処理は、例えば、ＣＰＵ１４６がＲＯＭからプログラムを読み出してＲＡＭで実行することにより実現される。ここで、印刷装置１４０の給紙部１４４には、用紙種類が「半光沢紙」である印刷用紙が設置されているとし、その状態でＰＣ１２０から「Ｊｏｂ４」を受信したとする。また、その時点では、図５のＪｏｂ１〜Ｊｏｂ３がＰＣ１１０から既に受信されて印刷ジョブキュー１４３に記憶されているとする。
【００２９】
Ｓ９０１において、ＣＰＵ１４６は、ＰＣ１１０若しくはＰＣ１２０からネットワーク１３０を介して印刷ジョブを受信して取得する（ジョブ取得）。例えば、ＰＣ１２０からＪｏｂ４を受信する。Ｓ９０２においてＣＰＵ１４６は、Ｓ９０１で受信した印刷ジョブを解析して、ＰＣ１１０若しくはＰＣ１２０のプリンタドライバで指定された印刷用紙の用紙種類を取得する。例えば、ＰＣ１２０から受信したＪｏｂ４を解析して、用紙種類「コート紙（厚口）」を取得する。Ｓ９０３においてＣＰＵ１４６は、給紙部１１４で現在給紙されている印刷用紙の用紙種類を取得する。例えば、用紙種類「半光沢紙」を取得する。なお、現在給紙されている用紙種類を示す情報が、後述する処理により印刷装置１４０が備えるＲＯＭに格納されている。Ｓ９０３では、ＲＯＭ内の上記情報が取得される。
【００３０】
次に、Ｓ９０４において、Ｓ９０２で取得した用紙種類と、Ｓ９０３で取得した用紙種類とが一致しているか否かが判定される。ここで、一致していると判定された場合、Ｓ９０６に進み、一致していないと判定された場合、Ｓ９０５に進む。例えば、用紙種類「半光沢紙」と「コート紙（厚口）」とは一致していないと判定されるので、その場合にはＳ９０５に進む。Ｓ９０５において、Ｓ９０１で受信した印刷ジョブが用紙種類のミスマッチのため実行が成功しなかったので、その印刷ジョブを「保留」状態とし、実行を待機するために印刷ジョブキュー１４３に格納する。例えば、Ｓ９０１で受信したＪｏｂ４を印刷ジョブキュー１４３に格納する。その結果、印刷ジョブキュー１４３の状態は、図５に示す状態となる。一方、Ｓ９０６において、Ｓ９０１で受信した印刷ジョブを「処理待ち」状態として、印刷ジョブキュー１４３に格納する。
【００３１】
なお、ＣＰＵ１４６は、印刷ジョブキュー１４３を定常的に監視し、Ｓ９０６において印刷ジョブキュー１４３に格納された「処理待ち」状態の印刷ジョブに従って印刷処理を実行し、印刷部１４５に当該印刷ジョブに含まれているデータを印刷させる。また複数の「処理待ち」状態の印刷ジョブが格納されている場合、投入時刻が早い印刷ジョブから順に印刷処理を実行する。またＣＰＵ１４６は、「保留」状態の印刷ジョブについては印刷処理を実行しない。ただし、後述する処理により用紙が交換された場合、ＣＰＵ１４６は、印刷ジョブキュー１４３に、「保留」状態であり、且つ当該交換後の用紙種類に対応する印刷ジョブがあるか判定する。そして、そのような印刷ジョブがある場合、印刷処理を実行する。また、「保留」状態であり、且つ当該交換後の用紙種類に対応する印刷ジョブが複数ある場合、投入時刻が早い印刷ジョブから順に印刷処理を実行する。
【００３２】
図１０は、キー２０４が押下された場合に行われる表示制御処理の手順を示すフローチャートである。図１０に示す各処理は、例えば、印刷部１４５の制御部を構成するＣＰＵがＲＯＭからプログラムを読み出してＲＡＭで実行することにより実現される。本実施形態では、印刷ジョブキュー１４３が図５に示すような状態であり、キー２０４が押下されて図７の画面を表示する場合を説明する。
【００３３】
Ｓ１００１において、用紙交換指示のためのキー２０４がユーザにより押下されたか判定する。例えば、ユーザが印刷装置１４０に現在給紙されている用紙種類の交換を所望する場合に、ユーザによりキー２０４が押下される。Ｓ１００１においてキー２０４が押下されたと判定されると（Ｓ１００１でＹｅｓ）、Ｓ１００２に進む。キー２０４が押下されたと判定されない場合（Ｓ１００１でＮｏ）、再びＳ１００１における判定を行う。
【００３４】
Ｓ１００２においてＣＰＵ１４６は、ステータスが「保留」である印刷ジョブ（保留ジョブ）を印刷ジョブキュー１４３内で検索する。例えば、Ｓ１００２の処理の結果、図５に示すＪｏｂ１、Ｊｏｂ２、Ｊｏｂ３、Ｊｏｂ４の４つの印刷ジョブが印刷ジョブキュー１４３で検索される。
【００３５】
Ｓ１００３において、Ｓ１００２で保留ジョブが検索されたか否かが判定される。ここで、保留ジョブが検索したと判定された場合、Ｓ１００４に進み、保留ジョブが検索されなかったと判定された場合、Ｓ１００８に進む。Ｓ１００８において、図３に示す用紙選択画面が表示部１４１のパネル２０１に表示される。図３で説明したように、選択画面３０１では、印刷装置１４０に現在給紙されている用紙種類「光沢紙（厚口）」が強調表示される。Ｓ１００８の処理後は、図１０の処理を終了する。
【００３６】
一方、Ｓ１００４においてＣＰＵ１４６は、印刷ジョブキュー１４３から、最新の保留ジョブについての情報を取得する。ここでは、図５のＪｏｂ４の情報、即ち、投入順、ジョブ名、用紙種類、オーナー、ステータス、投入時刻の各情報が取得される。Ｓ１００５において、Ｓ１００４で取得された情報に基づいて、図７に示す通知画面を表示部１４１のパネル２０１に表示する。図７に示すように、投入時刻が最新であるＪｏｂ４の情報に基づいて、ジョブ名、投入時刻（印刷時間）が表示される。また、Ｊｏｂ４の用紙種類である「コート紙（厚口）」を給紙部１４４に設置するか否かについてユーザに選択を促すためのメッセージも表示される。ユーザは、そのメッセージに応じて、「コート紙（厚口）」を設置する場合にはキー２０２（ＯＫキー）を押下し、「コート紙（厚口）」を設置しない場合にはキー２０３（キャンセルキー）を押下する。
【００３７】
Ｓ１００６において、図４の通知画面の表示に対して、キー２０２とキー２０３のいずれがユーザにより押下されたかが判定される。ここで、キー２０２が押下されたと判定された場合、Ｓ１００７に進み、キー２０３が押下されたと判定された場合、Ｓ１００８に進む。
【００３８】
なお、Ｓ１００６においてＹｅｓと判定された場合、図６で示した画面、もしくは図７で示した画面が表示される。それらの画面においてユーザがキー２０２を押下した場合に、Ｓ１００７の処理が実行される。また図６または図７の画面においてキー２０３が押下された場合、Ｓ１００８に進み、図３に示したデフォルトの選択画面が表示されてもよい。
【００３９】
Ｓ１００７において、図６または図７に示した画面に表示された用紙種類、若しくは、Ｓ１００８において表示された図３の選択画面で選択された用紙種類を、印刷対象の印刷用紙の用紙種類として設定する。具体的には、ＣＰＵ１４６は、当該用紙種類を示す情報をＲＯＭに記憶する。上記図９のＳ９０３では、この情報が、現在印刷装置１４０にセットされている用紙の種類として取得される。なお、Ｓ１００７では、図８の通知画面が表示され、図１０の処理を終了する。
【００４０】
なお、Ｓ１００１において用紙交換指示のためのキー２０４が押下されたと判定された場合、ＣＰＵ１４６は給紙部１４４に、ロール紙の巻き取り動作を実行させる。これにより、印刷部１４５に対して給紙されている部分を巻き取ることができる。そしてユーザは、巻き取り後のロール紙を印刷装置１４０から取り外し、新たなロール紙をセットすることで、用紙の交換を行う。また印刷装置１４０には、用紙の装着部にセンサが設けられており、ユーザがロール紙をセットしたことを検出するようにしてもよい。
【００４１】
図１１は、ユーザが印刷ジョブキュー１４３に保留された印刷ジョブを実行する際に表示される印刷ジョブの選択画面の一例を示す図である。印刷ジョブの実行は、図１０のＳ１００７の処理後に行われる。例えば、Ｓ１００７において、図８の通知画面の表示後、ユーザによる用紙交換の終了を検出した場合に、図１１の画面が表示されるようにしても良い。図１１のジョブ選択画面１１０１は、例えば、ユーザが印刷装置１４０の入力部１４２の印刷開始ボタンを押下したり、パネル２０１に表示された印刷ジョブ実行画面上で指示した場合に表示される。
【００４２】
図１１に示すように、ジョブ選択画面１１０１では、印刷ジョブキュー１４３に保留された印刷ジョブがその投入時刻順に表示される。例えば、図１１では、図５に示す印刷ジョブのうち、投入時刻が最近の印刷ジョブＪｏｂ４が最上位に優先的に表示される。そのような表示方式により、ユーザがＰＣを用いて従前にプリンタに送信した印刷ジョブが用紙種類のミスマッチにより保留されて直ちに印刷を実行させようとした場合に、図１１に示すように当該印刷ジョブが印刷候補として最上位に表示される。そのため、特に表示される印刷ジョブ数が多い場合、所望の印刷ジョブを容易に指定することができるため、ユーザの利便性が向上する。例えばユーザが図７に示す画面が表示されているときにＯＫキーを押下し、最新の保留ジョブに対応する用紙種類として「コート紙（厚口）」を指定した場合、印刷装置１４０の給紙部１４４にＪｏｂ４で指定されている「コート紙（厚口）」に対応する用紙が既に設置されている。よってこの場合、印刷を実行する印刷ジョブとしてＪｏｂ４を指定すべきであるが、図１１の画面においてＪｏｂ４が優先的に表示されているため、Ｊｏｂ４を容易に指定することができる。
【００４３】
以上のような構成により、印刷装置１４０でサポートされる用紙種類が多数である場合にも、最新の保留ジョブを印刷する際の用紙交換に係るユーザの利便性が向上する。また、本実施形態では、用紙種類を光沢紙やコート紙等の複数種類の紙質として説明したが、例えば、Ａ３サイズやＡ４サイズ等、複数種類の用紙サイズ等であっても良い。
【００４４】
また以上の実施形態では、図６、図７で説明した画面において、最新の保留ジョブに対応する用紙種類が、用紙交換後の用紙種類の候補として優先的に表示されていたが、これに限らない。例えば最も早く投入された保留ジョブに対応する用紙種類を優先的に表示してもよい。或いは、複数の保留ジョブにおいて、最も多くの保留ジョブで指定されている用紙種類を優先的に表示するようにしてもよい。
【００４５】
さらに、図６の画面における、用紙交換後の用紙種類の候補を、保留ジョブに対応する用紙種類に限定してもよい。用紙交換時に保留ジョブが記憶されている場合、その保留ジョブに対応する用紙種類が選択される可能性が高い。よって、上記候補を保留ジョブに対応する用紙種類に限定し、さらに所定の条件（たとえば最新）に該当する保留ジョブに対応する用紙種類を優先表示する。これにより、仮にユーザが最新ではない保留ジョブに対応する用紙種類を選択する場合でも、容易にその用紙種類を選択することができる。
【００４６】
なお、このように上記候補を保留ジョブに対応する用紙種類に限定しなくてもよく、例えば全ての用紙種類を表示するとともに、上記候補を保留ジョブに対応する用紙種類を強調表示（例えば薄いグレーで着色）してもよい。さらに、所定の条件（たとえば最新）に該当する保留ジョブに対応する用紙種類を、より強調（例えば濃いグレーで着色）することで、ユーザはより容易に適切な用紙種類を選択することができる。
【００４７】
さらに、以上の実施形態では、用紙交換後の用紙種類の使用方法として、印刷ジョブに指定された用紙種類とのマッチング処理を例に説明した。しかしこれに限らず、例えば印刷ジョブにおいて用紙種類が指定されていない場合に、用紙交換後の用紙種類に応じた印刷が実行される場合であってもよい。
【００４８】
また、以上の実施形態では、印刷ジョブや印刷装置において設定される用紙の属性として、用紙種類（用紙の材質等）を例に説明したが、これに限らず、例えば用紙サイズであってもよい。
【００４９】
さらに、以上の実施形態では、保留ジョブとして、用紙種類のミスマッチにより印刷が保留された印刷ジョブを例に説明したが、これに限らず、用紙交換の前に印刷ジョブキューに記憶された印刷ジョブであればよい。例えば用紙がなくなった場合に印刷ジョブの印刷が保留される。このように保留されたジョブを、以上の実施形態で説明した保留ジョブとしてもよい。この場合でも、交換後の用紙の種類として、印刷ジョブキューに記憶されている保留ジョブにおいて指定された用紙の種類が適切である可能性が高い。そこで、このような保留ジョブに基づいて、用紙交換後の用紙の種類を特定してもよい。
【００５０】
また、以上の実施形態では、用紙交換後の用紙種類を特定する印刷制御装置として、印刷装置内のＣＰＵを例に説明したが、これに限らない。例えば、印刷装置に接続され、印刷装置に印刷ジョブを送信するホストＰＣやプリントサーバが本実施形態における印刷制御装置として動作してもよい。この場合、印刷装置にセットされている交換前の用紙の種類が印刷装置から上記ホストＰＣや上記プリントサーバに送られる。また、上記ホストＰＣやプリントサーバにおいて印刷装置に送信した印刷ジョブが管理されることで、印刷ジョブと印刷装置における用紙種類のマッチング処理（Ｓ９０４）や、保留ジョブの特定（Ｓ９０５）を実現することができる。これにより、ホストＰＣやプリントサーバが印刷制御装置として、本実施形態における用紙交換後の用紙種類の特定を実現することができる。
【００５１】
本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００５２】
また、本実施形態の機能を実現するためのプログラムコードを、１つのコンピュータ（ＣＰＵ、ＭＰＵ）で実行する場合であってもよいし、複数のコンピュータが協働することによって実行する場合であってもよい。さらに、プログラムコードをコンピュータが実行する場合であってもよいし、プログラムコードの機能を実現するための回路等のハードウェアを設けてもよい。またはプログラムコードの一部をハードウェアで実現し、残りの部分をコンピュータが実行する場合であってもよい。
【図１】
2015147299.tif 000003
【図２】
2015147299.tif 000004
【図３】
2015147299.tif 000005
【図４】
2015147299.tif 000006
【図５】
2015147299.tif 000007
【図６】
2015147299.tif 000008
【図７】
2015147299.tif 000009
【図８】
2015147299.tif 000010
【図９】
2015147299.tif 000011
【図１０】
2015147299.tif 000012
【図１１】
2015147299.tif 000013